(57)【要約】【課題】少なくとも１つの細長い物品のための改善されたホルダを提供すること。【解決手段】本発明は、物品（１２）を導入することができる少なくとも１つのレセプタクル（３０）が上に形成された主要部（２０）と、接合部（２４）を介して主要部（２０）に移動可能に結合され、閉鎖位置においてレセプタクル（３０）を閉鎖する蓋部（２２）とを有し、少なくとも主要部（２０）は、硬い構成部品部分（４０）と、これに結合される柔らかい構成部品部分（４２）とを有し、柔らかい構成部品部分（４２）は、物品（１２）のためのレセプタクル（３０）を形成する、少なくとも１つの細長い物品（１２）のためのホルダ（１０）に関する。  この場合、接合部（２４）は、柔らかい構成部品部分（４２）によって形成される。【選択図】図１
2010032052.tif 000002
【特許請求の範囲】
【請求項１】
物品（１２）を導入することができる少なくとも１つのレセプタクル（３０）が上に形成された主要部（２０）と、接合部（２４）を介して前記主要部（２０）に移動可能に結合され、閉鎖位置において前記レセプタクル（３０）を閉鎖する蓋部（２２）とを有し、少なくとも該主要部（２０）は、硬い構成部品部分（４０）と、これに結合される柔らかい構成部品部分（４２）とを有し、前記柔らかい構成部品部分（４２）は、該物品（１２）のための該レセプタクル（３０）を形成する、少なくとも１つの細長い物品（１２）のためのホルダ（１２）であって、前記接合部（２４）は、該柔らかい構成部品部分（４２）によって形成されることを特徴とするホルダ。
【請求項２】
前記接合部（２４）は、前記主要部（２０）の前記レセプタクル（３０）を形成する前記柔らかい構成部品部分（４２）に結合されることを特徴とする、請求項１に記載のホルダ。
【請求項３】
前記蓋部（２２）は、硬い構成部品部分（６０）と、これに結合される柔らかい構成部品部分（６２）とを有し、前記接合部（２４）は、前記蓋部（２２）の前記柔らかい構成部品部分（６２）に結合されることを特徴とする、請求項１又は請求項２に記載のホルダ。
【請求項４】
前記レセプタクル（３０）は、前記物品（１２）を該レセプタクル（３０）内に半径方向に導入することができる半径方向開口部（５６）を有し、前記蓋部（２２）は、該蓋部（２２）の前記閉鎖位置において前記半径方向開口部（５６）を閉鎖する閉鎖部分（５８）を有することを特徴とする、請求項１乃至請求項３のいずれか１項に記載のホルダ。
【請求項５】
前記蓋部（２２）は、硬い構成部品部分（６０）と、これに結合される柔らかい構成部品部分（６２）とを有し、前記閉鎖部分（５８）は、前記柔らかい構成部品部分（６２）によって形成されることを特徴とする、請求項４に記載のホルダ。
【請求項６】
前記閉鎖部分（５８）は、前記蓋部（２２）の前記閉鎖位置において、挿入される物品（１２）に作用することを特徴とする、請求項４又は請求項５に記載のホルダ。
【請求項７】
前記閉鎖部分（５８）は、第１の長手方向（９８）への前記物品（１２）の移動を阻止するように前記レセプタクル（３０）に挿入された該物品（１２）に作用する第１のクランプ部分（９４）と、反対の長手方向（１００）への該物品の移動を阻止するように該レセプタクル（３０）に挿入された該物品（１２）に作用する第２のクランプ部分（９６）とを有することを特徴とする、請求項６に記載のホルダ。
【請求項８】
前記閉鎖部分（５８）は、前記レセプタクル（３０）によって定められた長手方向（２８）に互いに隣接して配置された複数のクランプ・セグメント（６４）によって形成されることを特徴とする、請求項４乃至請求項７のいずれか１項に記載のホルダ。
【請求項９】
前記主要部（２０）の前記硬い構成部品部分（４０）のガイド部分（７４）は、前記レセプタクル（３０）内への物品（１２）の半径方向の導入を容易にするために、前記柔らかい構成部品部分（４２）によって形成された該レセプタクル（３０）の半径方向開口部（５６）内に突出することを特徴とする、請求項１乃至請求項８のいずれか１項に記載のホルダ。
【請求項１０】
前記主要部（２０）の前記柔らかい構成部品部分（４２）は、前記レセプタクル（３０）に対向する該主要部（２０）の下面（６６）に対して突出する少なくとも１つの足部分（６８）を有することを特徴とする、請求項１乃至請求項９のいずれか１項に記載のホルダ。
【請求項１１】
前記主要部（２０）の前記硬い構成部品部分（４０）は、前記ホルダ（１０）を加工物（１４）に締結するための締結部分（２６）を有することを特徴とする、請求項１乃至請求項１０のいずれか１項に記載のホルダ。
【請求項１２】
前記ホルダ（１０）は、一体に形成され、かつ、二成分射出成形によって製造されることを特徴とする請求項１乃至請求項１１のいずれか１項に記載のホルダ。
【発明の詳細な説明】
【技術分野】
【０００１】
本発明は、物品を導入することができる少なくとも１つのレセプタクルが上に形成された主要部と、接合部を介して主要部に移動可能に結合され、閉鎖位置においてレセプタクルを閉鎖する蓋部とを有し、少なくとも主要部は、硬い構成部品の部分と、これに結合される柔らかい構成部品の部分とを有し、柔らかい構成部品部分は物品のためのレセプタクルを形成している、少なくとも１つの細長い物品のためのホルダに関する。
【背景技術】
【０００２】
この種類のホルダは、例えば、特許文献１から知られている。
この文献から知られるホルダは、比較的硬いプラスチック材料で作られた主要部及び蓋部を含む。主要部及び蓋部は、フィルム・ヒンジを介して互いに接合される。比較的柔らかい材料で作られた部分が、二成分射出成形として知られる方法を用いて、主要部及び蓋部の両方と一体に形成される。
【０００３】
この種類の更に別のホルダが、特許文献２から知られている。このホルダにおいては、主要部及び蓋部の各々は、主要部及び蓋部の製造後に柔らかい構成部品部分が鋳造される、長手方向の連続的なキャビティを有する。
【０００４】
さらに、特許文献３は、フィルム・ヒンジを介して結合された主要部及び蓋部を有するパイプライン・ホルダを開示する。主要部に挿入することができる基礎部及びこれに関節接合された上部を含む、柔らかい弾性材料で作られた受け体を主要部内に取り付けることが可能である。
【０００５】
周知のパイプライン・ホルダに用いられるフィルム・ヒンジ構成は、過度の機械的応力に起因する損傷なしに、必要とされる屈曲半径を可能にするために、比較的遠くに突出している。
【先行技術文献】
【特許文献】
【０００６】
【特許文献１】米国特許第４，８８１，７０５号
【特許文献２】独国特許出願公開第１０  ２００４  ０５４  ４０３  Ａ１号
【特許文献３】独国特許第４０  ３９  ８２２  Ｃ１号
【発明の概要】
【発明が解決しようとする課題】
【０００７】
前述の背景に対して、本発明の目的は、前述の欠点を回避する、少なくとも１つの細長い物品のための改善されたホルダを詳記することである。
【課題を解決するための手段】
【０００８】
冒頭で述べたホルダの場合、接合部を柔らかい構成部品部分によって形成するという点において、この目的が達成される。
一方、柔らかい構成部品部分は、接合部又はヒンジの寸法をより小さくするのを容易にするので、これにより、ホルダの全体的なサイズを小さくすることが可能になる。
【０００９】
さらに、接合部の機能のための遊びを作る必要がないので、硬い構成部品についての材料特性が、より効果的に利用される。例えば、硬い構成部品部分は、それによってフィルム・ヒンジを生成することが可能ではない又は辛うじて可能であるにすぎない、繊維材料で作ることもできる。
【００１０】
さらに、主要部及び蓋部がより良好に充填されているために、柔らかい構成部品部分により接合部を形成した結果、より簡単な金型構成を得ることができる。
柔らかい構成部品部分を用いて、ホルダから物品に又はその逆に作用する振動を減衰させることができる。全体的に、このような方法で保持特性を改善することができる。
従って、目的は、完全に達成される。
【００１１】
硬い構成部品部分及び柔らかい構成部品部分は、プラスチック材料で作られることが好ましい。
接合部が、主要部のレセプタクルを形成する柔らかい構成部品部分に結合される場合は、特に有利である。
【００１２】
この実施形態においては、接合部は、一般的に、硬い構成部品部分内の凹部を貫通して、主要部のレセプタクルを形成する柔らかい構成部品部分に結合される。このことは、ホルダの完全性を向上させる。
従って、蓋部が、硬い構成部品部分と、これに結合される柔らかい構成部品部分とを有し、接合部が、蓋部の柔らかい構成部品部分に結合させる場合も、さらに有利である。
【００１３】
この実施形態においては、柔らかい構成部品部分は、柔らかい構成部品部分全体として、好ましくは主要部の硬い構成部品部分を通り、蓋部の硬い構成部品部分を通って延び、好ましくは単一のストランドを形成する。
全体的に好ましい更に別の実施形態によると、レセプタクルは、物品をレセプタクル内に半径方向に導入することができる半径方向開口部を有し、蓋部は、蓋部の閉鎖位置において半径方向開口部を閉鎖する閉鎖部分を有する。
【００１４】
このことは、レセプタクル内に受けられる物品を完全に囲み、よって、常にレセプタクルの長手方向軸と同軸に配向されることが好ましい物品を正確に配置することを可能にする。
この場合、蓋部が、硬い構成部品部分とこれに結合される柔らかい構成部品部分とを有し、閉鎖部分が柔らかい構成部品部分によって形成される場合は、特に好ましい。
【００１５】
この実施形態においては、物品から蓋部に又はその逆に作用する振動を減衰させることがさらに可能である。
さらに、蓋部の閉鎖位置において、閉鎖部分が挿入された物品に作用する場合は、特に好ましい。
【００１６】
この実施形態においては、閉鎖部分はさらに、物品の上にかけられる軸方向の保持力を増大させる働きをすることが可能である。
この場合、閉鎖部分は、第１の長手方向への物品の移動を阻止するように、レセプタクル内に挿入された物品に作用する第１のクランプ部分と、反対の長手方向への物品の移動を阻止するように、レセプタクル内に挿入された物品に作用する第２のクランプ部分とを有する場合は、特に好ましい。
このことは、両方向への軸方向の保持力を増大することを可能にする。
【００１７】
閉鎖部分は、レセプタクルによって定められた長手方向に互いに隣接して配置された複数のクランプ・セグメントによって形成されることが好ましい。
一方、複数のクランプ・セグメントは、異なる直径の物品がレセプタクルに挿入されることを可能にする。他方、クランプ・セグメントを適切に形成することにより、第１の数のクランプ・セグメントが第１のクランプ部分を形成し、第２の数のクランプ・セグメントが第２のクランプ部分を形成することが可能になる。
【００１８】
全体的に、物品をレセプタクル内に半径方向に導入するのを容易にするために、主要部の硬い構成部品部分のガイド部分が、柔らかい構成部品部分によって形成されたレセプタクルの半径方向開口部内に突出する場合は、さらに有利である。
一般に、柔らかい構成部品部分と物品との間により大きい摩擦が生じるので、物品をレセプタクルに挿入したとき、柔らかい構成部品部分の一部が圧入される危険が生じやすい。これは、特に、半径方向開口部の直径が、挿入される物品の直径よりも小さい場合に当てはまる。
【００１９】
ガイド部分は、レセプタクル内への導入時に、物品を実質的に硬い構成部品部分に沿って案内することを可能にする。硬い構成部品部分と物品との間に生じる摩擦はより小さい。さらに、通常、硬い構成部品部分が著しく変形する可能性はない。このことは、物品をレセプタクル内に半径方向に導入することを容易にすることができる。
全体的に好ましい更に別の実施形態によれば、主要部の柔らかい構成部品部分は、レセプタクルに対向する主要部の下面に対して突出する少なくとも１つの足部分を有する。
【００２０】
「主要部の下面」という用語は、特に本明細書においては、特に、物品が締結される金属薄板のような加工物に押し当たっている主要部の側を指す。足部分を用いて、加工物からホルダに及びその逆に作用する振動を減衰させることができる。
足部分は、この場合、レセプタクルを形成する柔らかい構成部品部分に結合されることが好ましく、かつ、柔らかい構成部品部分全体の一部であることが好ましい。
【００２１】
さらに、全体的に見て、主要部の硬い構成部品部分が、ホルダを加工物に締結するための締結部分を有する場合は、有利である。
これは、好ましくは、加工物に固定されるスタッドを、例えばロック方式で導入し、固定することができるスタッド・レセプタクルとすることができる。しかしながら、代替的には、締結部分はまた、ねじ、ナット又は同種のものを受けることも可能にする。
【００２２】
ホルダは、好ましくは一体に形成され、好ましくは二成分射出成形によって製造される。
これは、ホルダが射出成形で製造されるという事実に言及しており、第１のステップにおいて、主要部及び蓋部の硬い構成部品部分が押し出される。第２のステップにおいて、柔らかい構成部品部分全体が、同じ金型内に押し出される。
【００２３】
上記に述べられた特徴及び下記に説明される特徴は、本発明の範囲から逸脱することなく、それぞれ特定の組み合わせのみで用い得るだけではなく、他の組み合わせで又は単独でも用い得ることが理解されるであろう。
本発明の例示的な実施形態は、図面に示されており、後の説明においてより詳細に説明されるであろう。
【図面の簡単な説明】
【００２４】
【図１】本発明の実施形態によるホルダの（長手方向の）側面図である。
【図２】図１の線ＩＩ−ＩＩに沿った断面図である。
【図３】開放位置における、上からの図１及び図２のホルダを示す。
【図４】図３の線ＩＶ−ＩＶに沿った断面図である。
【図５】図１乃至図４のホルダの柔らかい構成部品部分全体の斜視図である。
【図６】図１乃至図５のホルダの蓋部のための閉鎖部分の代替的な実施形態を示す。
【図７】ホルダに挿入された物品に当接している図６の閉鎖部分を示す。
【発明を実施するための形態】
【００２５】
図１及び図２において、本発明の実施形態によるホルダが、全体を参照符号１０で示される。ホルダ１０は、チューブ、ケーブル、ケーブル・ストランド、ガソリン・ライン等のような、２つの細長い物品１２Ａ、１２Ｂを加工物１４に締結する働きをする。加工物１４は、例えば、自動車の車体の金属薄板とすることができる。スタッド１６が、例えば、スタッド溶接又はスタッド接合として知られる方法によって加工物１４に固定される。スタッド１６は、加工物１４の表面に対して突出しており、ホルダ１０はそれに締結される。
【００２６】
ホルダ１０は、接合部又はヒンジ２４を介して、取り外しできないように互いに接合された主要部２０及び蓋部２２を有する。
主要部２０は、該主要部２０をスタッド１６に固定するように構成された中央の締結部分２６を有する。スタッド１６は、図１に概略的に示される。
【００２７】
主要部２０は、少なくとも１つのレセプタクルを、この場合は、物品１２Ａ、１２Ｂのための２つのレセプタクル３０Ａ、３０Ｂをさらに有する。レセプタクル３０Ａ、３０Ｂは、締結部分２６の両側上に配置される。レセプタクル３０は、この場合は、互いに対して平行に配向され、かつ、受けられる物品１２Ａ、１２Ｂの長手方向軸と一致する（又は、少なくともそれらに対して平行に配置された）長手方向軸２８Ａ、２８Ｂを定める。
【００２８】
蓋部２２は、図１において閉鎖位置で示されており、そこでは、該蓋部２２がレセプタクル３０Ａ、３０Ｂを閉鎖する、これにより、挿入された物品１２Ａ、１２Ｂが、ホルダ１０から半径方向に移動するのが防止される。この目的のために、蓋部２２は、インターロック構成３２によって主要部２０にしっかりと結合される。インターロック構成３２は、レセプタクル３０Ａに隣接した、接合部２４に対向する端面上に形成され、例えばロック構成として構成することができる。
【００２９】
主要部２０は、比較的硬いプラスチック材料で作られた硬い構成部品部分４０と、比較的柔らかいプラスチック材料（例えば、熱可塑性エラストマー）で作られた柔らかい構成部品部分４２とを有する。
【００３０】
硬い構成部品部分４０は、締結部分２６を含み、いずれの場合もその両側にＵ形状の凹部４４を有する。柔らかい構成部品部分４２からできており、それぞれのレセプタクル３０Ａ、３０Ｂを形成する受け部分４６Ａ、４６Ｂが、Ｕ形状の凹部４４の各々の中に配置される。
【００３１】
２つの物品１２Ａ、１２Ｂのためのレセプタクル３０Ａ、３０Ｂの細部は、２つのレセプタクルのうちの１つのみを参照して以下に説明される。しかしながら、レセプタクルの各々の構造は同一であるので、その説明は、他方のレセプタクルにも等しく適用される。
【００３２】
受け部分４６は、Ｕ形状の凹部４４内に配置されるＵ形状の基礎部分４８を有する。少なくとも１つのウェブ５０（この場合は、２つのウェブ５０であり、その１つだけに参照符号が与えられている）が、Ｕ形状の基礎部分４８の半径方向内側から半径方向に延びる。Ｕ形状の基礎部分４８と協働して、各々がキャビティ５４を定めるブリッジ５２が、Ｕ形状の基礎部分４８の半径方向内側上に形成される。
【００３３】
より正確には、ブリッジ５２は、Ｕ形状の基礎部分４８の基部に配置され、２つのウェブ５０が、これに隣接して配置される。さらに、それらの間に半径方向開口部５６を定めるブリッジ５２は、いずれの場合にも、Ｕ形状の基礎部分４８のＵ形状の自由脚部の領域内に設けられる。半径方向開口部５６は、挿入される最小の物品１２Ａの直径より小さい。
【００３４】
物品１２がレセプタクル３０に挿入されると、半径方向開口部５６を定めるブリッジ５２は、半径方向に及び／又は接線方向外方に押し付けられ、該物品がレセプタクル３０内に配置されるや否や、挿入された物品１２の後ろに係合する。従って、ホルダは、例えば、「頭上の取り付け（ｏｖｅｒｈｅａｄ  ｍｏｕｎｔｉｎｇ）」にも適している。
蓋部２２の閉鎖位置において半径方向開口部５６を閉鎖するように構成された閉鎖部分５８は、主要部２０に対向する側の蓋部２２上に形成される。
【００３５】
蓋部２２は、主要部２０と同様に、硬い構成部品部分６０と、柔らかい構成部品部分６２とを有する。閉鎖部分５８は、この場合は、柔らかい構成部品部分６２から形成される。より正確には、閉鎖部分５８は、隣接して横方向に配置され、かつ、長手方向軸２８の方向に互いから離間された複数のクランプ・セグメント６４を有する。クランプ・セグメント６４は、断面が実質的に台形になるように形成され（図１を参照されたい）、対応する形状の半径方向開口部５６に適合される。
【００３６】
主要部２０の柔らかい構成部品部分４２は、硬い構成部品部分に対して、主要部２０の下面６６から延びている複数の足部分６８を含む。より正確には、足部分６８は、加工物１４に面する主要部２０の側から延びる。足部分６８は、この場合は、加工物１４とホルダ１０との間で伝わり得る振動を減衰させる働きをする。
【００３７】
この場合は、柔らかい構成部品部分４２は、６つの足部分６８を含み、そのうちの４つは、下面６６の基部領域の外周コーナー部に配置される。更なる２つの足部分６８は、締結部分２６に隣接して配置される。
【００３８】
図３及び図４は、開放位置にあるホルダ１０を示す。この場合、主要部２０の硬い構成部品部分４０は、レセプタクル３０の領域内に、受け部分４６を通って、Ｕ形状凹部４４の自由端から半径方向内方に半径方向開口部５６に向けて延びている半径方向ウェブ７０を有することが分かる。
【００３９】
柔らかい構成部品部分４２から作られた受け部分４６は、半径方向開口部５６の領域内に、断面が円錐状に先細になる、対向する導入面７２を有する。これらの導入面の目的は、半径方向開口部５６を通って物品１２を半径方向に中心に導入するのを容易にすることである。半径方向ウェブ７０は、半径方向開口部まで延び、これに対応するように円錐状に先細になるガイド部分７４を有する。ガイド部分７４は、半径方向開口部５６の上部（即ち、半径方向外方部分）内に形成され、導入面７２に対して僅かに突出している。このことにより、初めに円錐状に先細になるガイド部分７４に作用するように、物品１２を導入することが可能になる。ガイド部分７４が形成される硬い構成部品部分４０と導入される物品１２との間の摩擦は、柔らかい構成部品部分４２と物品１２との間の摩擦よりずっと小さいので、結果として導入操作を非常に円滑にすることができる。特に、半径方向開口部５６の領域内に存在するウェブ又はブリッジ５２は、摩擦力のために下方に曲がること、レセプタクル３０をブロックすること、或いは物品１２の均一でない取り付け又は非対称的な取り付けが行われることを防止することができる。
【００４０】
図３及び図４はまた、締結部分２６が、スタッド１６上に（例えば、そのフランジ部分又はねじ切られた部分上に）作用するように構成された１つ又はそれ以上の（この場合は、３つの）ロック用突起部（ｌｏｃｋｉｎｇ  ｌｕｇ）７６を有することを示す。従って、主要部２０を、簡単な方法で、即ち、主要部２０をスタッド１６の上に押し付け、スタッド１６が好ましくは締結部分２６の連続的凹部を貫通することによって、加工物１４に固定することができる。この場合、ロック用突起部７６は、スタッド１６上の半径方向突出部の後ろに係合する。足部分６８が加工物１４の上側にあるとき、加工物１４上の最終位置に到達する。前述の足部分は、適切な場合、弾性的に圧縮することもでき、従って、適切な場合、スタッド１６上で更なるロック段階を達成することが可能になる。このことは、加工物１４上での主要部２０の保持を改善することができる。
【００４１】
さらに、主要部２０上、すなわちその硬い構成部品部分４０上に、インターロック構成３２のインターロック用突起部７８及び保持用突起部８２が形成される。これらの突起部は、主要部２０の対向する端面上に配置され、蓋部２２の対応するインターロック要素と係合するように構成される。インターロック用突起部７８は、この場合、接合部２４に対向する主要部２０の端面上に配置され、蓋部２２上に形成されたインターロック用タブ８０と係合するように構成される。インターロック用タブ８０は、この場合、接合部２４に対向する蓋部２２の側に設けられる。
【００４２】
インターロック用タブ８０がインターロック用突起部７８の後ろに係合するインターロック状態は、図１の左側に見ることができる。
保持用突起部８２は、主要部２０の両側上の当接部として働く。以下に説明されるように、この種類の当接部の機能は、接合部２４が果たすのではないことが好ましい。前述の接合部は柔らかい構成部品部分で作られるが、保持用突起部８２は、蓋部２２の硬い構成部品部分６０から形成される。
【００４３】
上述のように、主要部２０は柔らかい構成部品部分４２を有し、蓋部２２は柔らかい構成部品部分６２を有し、接合部２４もまた柔らかい構成部品から形成される。この場合は、ホルダ１０は、最初に、主要部２０及び蓋部２２の硬い構成部品部分４０、６０が金型内に押し出され、続いて、柔らかい構成部品部分４２、６２及び２４を含む柔らかい構成部品部分全体９０が同じ金型内に押し出される、二成分射出成形によって製造される。図５は、主要部２０上に、受け部分４６Ａ、４６Ｂ及び足部分６８を含む、この柔らかい構成部品部分の全体９０の斜視図である。蓋部２２において、柔らかい構成部品部分全体９０は、閉鎖部分５８Ｂ、５８Ａを含む。さらに、個々の柔らかい構成部品部分は、内部ストランド９２によって、主要部２０又は蓋部２２内で互いに接合される。さらに、これらの内部ストランド９２はまた、接合部２４にも結合される。このことは、柔らかい構成部品部分全体９０と主要部２０又は蓋部２２の硬い構成部品部分４０、６０との間を取り外しできないように結合する。
【００４４】
図６及び図７は、参照符号５８’で示される閉鎖部分の代替的な実施形態を示す。
図１乃至図５の閉鎖部分５８の場合、クランプ・セグメント６４の各々は、長手方向２８に均一な厚さのものであるが、閉鎖部分５８’は、長手方向２８に互いに隣接して配置された第１のクランプ部分９４及び第２のクランプ部分９６に分けられる。
【００４５】
第１のクランプ部分９４において、個々のクランプ・セグメント６４ａ’の各々は、中心の方を向いた側において傾斜している。これに対応して、第２のクランプ部分９６のクランプ・セグメント６４ｂ’はそれぞれ、中心の方を向いた側において傾斜している。その結果、クランプ・セグメント６４ａ’及び６４ｂ’の曲げ方向は、予め定められている。図７に示されるように閉鎖部分５８’が物品１２に当接している限り、クランプ・セグメント６４ａ’、６４ｂ’は各々、長手方向に中心から遠ざかるように外方に曲がる。
【００４６】
このことは、閉鎖部分５８’が、増大した保持力を物品１２の上に長手方向にかけることを可能にする。より正確には、クランプ・セグメント６４ａ’は、第１の長手方向９８への物品１２の移動を阻止する（その結果、この場合、クランプ・セグメント６４ａ’は、この目的のためにさらに圧縮される）。さらに、クランプ・セグメント６４ｂ’は、反対の長手方向１００への物品１２の移動を阻止する（この場合、クランプ・セグメント６４ｂ’は圧縮される）。
【００４７】
この保持力の増大は、特に、柔らかい構成部品部分６２から形成された、曲げられたクランプ・セグメント６４ａ’、６４ｂ’間の摩擦力が増大した結果生じるものである。
特に図１に見られるように、ブリッジ５２及びウェブ５０を、半径方向に互いに押し付けることができる（特に、ブリッジ５２によって形成されたキャビティ５４のために）。
【００４８】
さらに、ブリッジ５２はそれぞれ、レセプタクル３０の周囲にわたって実質的に均等に分配された状態で配置される。
従って、異なる直径の物品１２をレセプタクル３０に挿入することが可能であり、これらの物品の各々は、長手方向軸２８と同軸に配置される。これは、その１つがそれぞれ参照番号１２Ａ又は１２Ｂで示される、２つの同軸の円形鎖線によって図１に示される。
【符号の説明】
【００４９】
１０：ホルダ
１２、１２Ａ、１２Ｂ：物品
１４：加工物
１６：スタッド
２０：主要部
２２：蓋部
２４：接合部又はヒンジ
２６：締結部分
２８Ａ、２８Ｂ：長手方向軸
３０、３０Ａ、３０Ｂ：レセプタクル
３２：インターロック構成
４０、６０：硬い構成部品部分
４２、６２：柔らかい構成部品部分
４４：凹部
４６、４６Ａ、４６Ｂ：受け部分
４８：基礎部分
５０、７０：ウェブ
５２：ブリッジ
５４：キャビティ
５６：半径方向開口部
５８、５８’、５８Ａ、５８Ｂ：閉鎖部分
６４、６４ａ’、６４ｂ’：クランプ・セグメント
６８：足部分
７２：導入面
７４：ガイド部分
７６：ロック用突起部
７８：インターロック用突起部
８０：タブ
８２：保持用突起部
９０：柔らかい構成部品部分全体
９２：内部ストランド
【図１】
2010032052.tif 000003
【図２】
2010032052.tif 000004
【図３】
2010032052.tif 000005
【図４】
2010032052.tif 000006
【図５】
2010032052.tif 000007
【図６】
2010032052.tif 000008
【図７】
2010032052.tif 000009